(57)【要約】【目的】バッテリ直結等の不正手段によるスタータモータの始動を実質的に不可能にして車両の盗難を防止する。【構成】車両に設置される制御ＰＣ１０は、メモリキー２０に記憶される認証データと対になる認証データを記憶するメモリ１２を備え、これら認証データの照合によってメモリキーが正規のものであるか否かを制御・演算手段１１で判定する。認証に成功したときに、スタータモータ４００のマグネチックスイッチ３００に内蔵されるＳＳＳＲ３０に対して稼動許可信号を送信する。稼動許可信号を受信手段３３で受信したＳＳＳＲは、モータ制御スイッチ３４をオンにしてスタータモータの始動を許容する。認証されなかったときはマグネチックスイッチが電磁力を発生しないので、バッテリ直結によってもエンジンが始動せず、盗難防止に有効である。稼動許可信号の伝送媒体には車体４０が使用される。【選択図】図２
2006213256.tif 000002
【特許請求の範囲】
【請求項１】
車両を運転するオペレータが所持する鍵手段と、車両に設置される第一の制御部と、車両のエンジンを始動させるためのスタータモータのマグネチックスイッチに内蔵される第二の制御部とからなり、第一の制御部は、鍵手段に記憶された特定の認証データに一意に対応付けられた認証データを記憶する第一の記憶手段と、鍵手段が挿入されたときに鍵手段に記憶された認証データと第一の記憶手段に記憶された認証データとを照合して鍵手段が正規のものであるか否かを判定する認証手段と、挿入された鍵手段が正規のものであると認証手段により判定されたときに稼動許可信号を送出する送信手段とを備え、第二の制御部は、第一の制御部の送信手段から稼動許可信号を受信する受信手段と、スタータモータを始動するための電流を通電又は遮断するモータ制御スイッチと、受信手段が稼動許可信号を受信したときにモータ制御スイッチをオンにしてスタータモータの始動を許容する始動制御手段とを備えることを特徴とするエンジン始動制御システム。
【請求項２】
第一の制御部の送信手段から第二の制御部の受信手段に送信される稼動許可信号の伝送媒体として車両の車体が利用されることを特徴とする請求項１記載のエンジン始動制御システム。
【請求項３】
第一の制御部は、さらに、外部管理サーバとの間でデータ送受信を可能にするためのデータ通信手段と、データ通信手段を通じて外部管理サーバから認証データ変更指令を受信したときに第一のメモリに記憶されている認証データを変更する認証データ変更手段とを備えることを特徴とする請求項１又は２のいずれか記載のエンジン始動制御システム。
【請求項４】
エンジンのガバナに設けられた第三の制御部をさらに備え、第三の制御部は、第一の制御部の送信手段から稼動許可信号を受信する受信手段と、受信手段が稼動許可信号を受信しなくなったときにエンジンへの燃料供給を停止させるガバナ制御手段とを備えることを特徴とする請求項３記載のエンジン始動制御システム。
【請求項５】
第一の制御部は、車両を特定する車両ＩＤを記憶する第二の記憶手段をさらに備えるとともに、第二の制御部は、第一の制御部の第二の記憶手段に記憶された車両ＩＤと一意に対応付けられた車両ＩＤを記憶する第三の記憶手段と、第一の制御部の第二の記憶手段に記憶された車両ＩＤと第三の記憶手段に記憶された車両ＩＤとを照合して受信手段で受信した稼動許可信号が当該車両の第一の制御部から発信されたものであるか否かを判定する車両判定手段とをさらに備え、始動制御手段は、受信した稼動許可信号が当該車両からのものであることが車両判定手段によって判定されたことを条件としてモータ制御スイッチをオンにすることを特徴とする請求項１乃至４のいずれか記載のエンジン始動制御システム。
【請求項６】
鍵手段に記憶される認証データが、任意桁数の数字列よりなる認証番号と、この認証番号の各桁の数字を送信してからその一つ下位の桁の数字を送信するまでの送信時間としてランダムに設定された送信時間タイミングデータとの組合せを有し、第一の制御部の第一の記憶手段に記憶される認証データが、鍵手段に記憶される認証データの認証番号と一意に対応付けられた同桁数の数字列を含む認証番号と、鍵手段に記憶される送信時間タイミングデータと一意に対応付けられた受信時間タイミングデータとの組合せを有することを特徴とする請求項１乃至５のいずれか記載のエンジン始動制御システム。
【請求項７】
第一の制御部の第二の記憶手段に記憶される車両ＩＤが、任意桁数の数字列よりなる認証番号と、この認証番号の各桁の数字を送信してからその一つ下位の桁の数字を送信するまでの送信時間としてランダムに設定された送信時間タイミングデータとの組合せを有し、第二の制御部の第三の記憶手段に記憶される車両ＩＤが、第一の制御部の第二の記憶手段に記憶される車両ＩＤの認証番号と一意に対応付けられた同桁数の数字列を含む認証番号と、第一の制御部の第一の記憶手段に記憶される送信時間タイミングデータと一意に対応付けられた受信時間タイミングデータとの組合せを有することを特徴とする請求項５記載のエンジン始動制御システム。
【請求項８】
車両に設置され、一定の条件が満たされたときに稼動許可信号を送出する第一の制御部と、車両のエンジンを始動させるためのスタータモータのマグネットスイッチに内蔵され、スタータモータを始動するための電流を通電又は遮断するモータ制御スイッチと、第一の制御部から稼動許可信号を受信したときにモータ制御スイッチをオンにしてスタータモータの始動を許容する始動制御手段とを備える第二の制御部と、を有してなることを特徴とするエンジン始動制御システム。
【請求項９】
第一の制御部の送信手段から第二の制御部の受信手段に送信される稼動許可信号の送信媒体として車両の車体が利用されることを特徴とする請求項８記載のエンジン始動制御システム。
【請求項１０】
第一の制御部は、車両を特定する車両ＩＤを記憶する第一の記憶手段を備えるとともに、第二の制御部は、第一の記憶手段に記憶された車両ＩＤと一意に対応付けられた車両ＩＤを記憶する第二の記憶手段と、第一の記憶手段に記憶された車両ＩＤと第二の記憶手段に記憶された車両ＩＤとを照合して受信した稼動許可信号が当該車両の第一の制御部から発信されたものであるか否かを判定する車両判定手段とを備え、始動制御手段は、受信した稼動許可信号が当該車両からのものであることが車両判定手段によって判定されたことを条件としてモータ制御スイッチをオンにすることを特徴とする請求項８又は９記載のエンジン始動制御システム。
【請求項１１】
第一の制御部の第一の記憶手段に記憶される車両ＩＤが、任意桁数の数字列よりなる認証番号と、この認証番号の各桁の数字を送信してからその一つ下位の桁の数字を送信するまでの送信時間としてランダムに設定された送信時間タイミングデータとの組合せを有し、第二の制御部の第二の記憶手段に記憶される車両ＩＤが、第一の制御部の第一の記憶手段に記憶される車両ＩＤの認証番号と一意に対応付けられた同桁数の数字列を含む認証番号と、第一の制御部の第一の記憶手段に記憶される送信時間タイミングデータと一意に対応付けられた受信時間タイミングデータとの組合せを有することを特徴とする請求項１０記載のエンジン始動制御システム。
【発明の詳細な説明】
【技術分野】
【０００１】
本発明はエンジン始動制御システムに関し、より詳しくは、建設機械等の車両のエンジン始動を一定条件下において不可能とする制御を行うことにより車両盗難に対する有効な防止策を与えるためのシステムに関する。
【背景技術】
【０００２】
近年車両の盗難が多発しており，大きな社会問題となっている。車両盗難の多くは、イグニッションキーを持たない者がスタータモータ（セルモータ）をバッテリと直結させる方法等によってスタータモータを回転させ、これによってエンジンを始動することによって行われている。特にブルドーザーやショベルカー等の建設機械（以下、建機）にあっては、イグニッションキーも建機メーカ毎に共通の鍵を使っており、防犯意識が非常に希薄なものであった。そして、バッテリ直結等の不正な方法によってエンジンが始動されてしまうと自走移動が可能となり、不正輸出等のためにキャリアカーに積載して遠隔地に移送されてしまい、しかも、該エンジンによって駆動される油圧機構を介してアタッチメントが動作可能になるので建設作業等に不自由なく用いることができる。
【０００３】
図６を参照して、従来の建機を含む車両に用いられているスタータモータの作動原理を簡単に説明すると、運転者（以下、オペレータ）がイグニッションキーによりスタータスイッチ２００をＳＴＡＲＴ位置に回転させると、マグネチックスイッチ３００のシリースコイル３０３及びシャントコイル３０４に電流が流れ、この電流によって生じた電磁力によりプランジャ３０５が左方向（図６において、以下同じ）にスライドし、シフトレバー３０６が引っ張られて同方向に移動する。同時に、マグネチックスイッチ３００のシリースコイル３０３に流れた電流は、スタータモータ４００のフィールドコイル４０１及びアーマチュアコイル４０２にも流れて、アーマチュアコイル４０２を回転させる。これにより、ピニオンギヤ４０４は緩く回転しながらアーマチュアシャフト４０６に沿って押し出されるので、ピニオンギヤ４０４は確実にハズミ車のリングギヤ４０５に噛み合う。
【０００４】
このとき、左方向に移動したプランジャ３０５の先端に取り付けられた移動コンタクタ３０１が固定コンタクタ３０２を短絡するので、バッテリからの主電流がマグネチックスイッチ３００のＢ端子からＭ端子を通ってスタータモータ４００に与えられ、スタータモータ４００を高速回転させ、ピニオンギヤ４０４とリングギヤ４０５の噛合を介してエンジンを始動させる。
【０００５】
スタータスイッチ２００をＯＮ状態に戻すと、マグネチックスイッチ３００の励磁力が消失してシフトレバー３０６は軸に取り付けられたリターンスプリング（図示せず）の力で元の位置（図６に示す位置）に引き戻される。これによりピニオンギヤ４０４も元の位置に戻るので、リングギヤ４０５との噛合が解かれ、スタータモータ４００も止まる。
【０００６】
ここで、イグニッションキーがなくても、車両盗難の常套手段となっているバッテリ直結の手口を使うとスタータスイッチ２００をＳＴＡＲＴ位置に回転させたと同じことになり、エンジンが始動されてしまう。
【０００７】
このような事情を背景として、下記特許文献１に、遠隔地にある建機の盗難防止を図るためのシステムが提案されている。このシステムは、エンジンのスタータモータに通電するスタータモータ回路と、レバー操作に基づいて機械の油圧動作を停止させる電磁切換弁と、上記スタータモータ回路とは独立した回路として上記電磁切換弁に通電するロック制御回路とを備えた建機の盗難防止システムであって、建機に、送信局から送信された運転停止信号を人工衛星を介して受信する受信装置と、この受信装置で受信した運転停止信号によって作動するリレーとを設け、このリレーの作動により上記スタータモータ回路及びロック制御回路をそれぞれ遮断するように構成したことを特徴としている（請求項１の記載を引用）。より具体的には、ガバナと油圧回路を制御対象としており、その制御にはソレノイド、つまり電磁リレー（電磁コイルを利用して機械的に接点を開閉するタイプ）を採用している。
【特許文献１】特許第３５９７７７２号公報
【０００８】
この従来技術によれば、バッテリ直結によりエンジンを始動させることができたとしてもレバーロックソレノイドは励磁されないため、結果として建機の圧油操作を不可能にして建機自体の不正使用を防止することができる。また、人工衛星を利用した盗難防止システムにより建機が盗難に遭ったことが判明した時点で運転停止信号を送信すれば、エンジンの始動を不可能にすることができる。
【発明の開示】
【発明が解決しようとする課題】
【０００９】
しかしながら、この従来技術は、スタータモータの不正始動を防止するための根本的な解決策を提案するものではなく、バッテリ直結の不正な手口を使えばエンジンそのものは始動できてしまう、という問題がある。加えて、そのシステム構成のうち、エンジンソレノイド、レバーロックソレノイド、リレー制御部により制御されるリレーでそれぞれ使用されているのは電磁リレーであり、且つ、それらリレーを含めた回路間配線については外観上必ずしも隠蔽される構成にはなっていない。このため、その制御部となるリレーの存在が外部から認識されてしまい、制御回路配線の短絡等の操作を行うことによる不正使用を防止することができない。
【００１０】
したがって、本発明の課題は、根本的にスタータモータそのものの不正始動を防止し、且つ、その制御部や回路配線を隠蔽することができ、これによってバッテリ直結による盗難を事実上防止することができる新規なシステムを提供することにある。
【課題を解決するための手段】
【００１１】
この課題を解決するため、請求項１に係る発明は、車両を運転するオペレータが所持する鍵手段と、車両に設置される第一の制御部と、車両のエンジンを始動させるためのスタータモータのマグネチックスイッチに内蔵される第二の制御部とからなり、第一の制御部は、鍵手段に記憶された特定の認証データに一意に対応付けられた認証データを記憶する第一の記憶手段と、鍵手段が挿入されたときに鍵手段に記憶された認証データと第一の記憶手段に記憶された認証データとを照合して鍵手段が正規のものであるか否かを判定する認証手段と、挿入された鍵手段が正規のものであると認証手段により判定されたときに稼動許可信号を送出する送信手段とを備え、第二の制御部は、第一の制御部の送信手段から稼動許可信号を受信する受信手段と、スタータモータを始動するための電流を通電又は遮断するモータ制御スイッチと、受信手段が稼動許可信号を受信したときにモータ制御スイッチをオンにしてスタータモータの始動を許容する始動制御手段とを備えることを特徴とするエンジン始動制御システムである。
【００１２】
請求項２に係る発明は、請求項１記載のエンジン始動制御システムにおいて、第一の制御部の送信手段から第二の制御部の受信手段に送信される稼動許可信号の伝送媒体として車両の車体が利用されることを特徴とする。
【００１３】
請求項３に係る発明は、請求項１又は２のいずれか記載のエンジン始動制御システムにおいて、第一の制御部は、さらに、外部管理サーバとの間でデータ送受信を可能にするためのデータ通信手段と、データ通信手段を通じて外部管理サーバから認証データ変更指令を受信したときに第一のメモリに記憶されている認証データを変更する認証データ変更手段とを備えることを特徴とする。
【００１４】
請求項４に係る発明は、請求項３記載のエンジン始動制御システムにおいて、エンジンのガバナに設けられた第三の制御部をさらに備え、第三の制御部は、第一の制御部の送信手段から稼動許可信号を受信する受信手段と、受信手段が稼動許可信号を受信しなくなったときにエンジンへの燃料供給を停止させるガバナ制御手段とを備えることを特徴とする。
【００１５】
請求項５に係る発明は、請求項１乃至４のいずれか記載のエンジン始動制御システムにおいて、第一の制御部は、車両を特定する車両ＩＤを記憶する第二の記憶手段をさらに備えるとともに、第二の制御部は、第一の制御部の第二の記憶手段に記憶された車両ＩＤと一意に対応付けられた車両ＩＤを記憶する第三の記憶手段と、第一の制御部の第二の記憶手段に記憶された車両ＩＤと第三の記憶手段に記憶された車両ＩＤとを照合して受信手段で受信した稼動許可信号が当該車両の第一の制御部から発信されたものであるか否かを判定する車両判定手段とをさらに備え、始動制御手段は、受信した稼動許可信号が当該車両からのものであることが車両判定手段によって判定されたことを条件としてモータ制御スイッチをオンにすることを特徴とする。
【００１６】
請求項６に係る発明は、請求項１乃至５のいずれか記載のエンジン始動制御システムにおいて、鍵手段に記憶される認証データが、任意桁数の数字列よりなる認証番号と、この認証番号の各桁の数字を送信してからその一つ下位の桁の数字を送信するまでの送信時間としてランダムに設定された送信時間タイミングデータとの組合せを有し、第一の制御部の第一の記憶手段に記憶される認証データが、鍵手段に記憶される認証データの認証番号と一意に対応付けられた同桁数の数字列を含む認証番号と、鍵手段に記憶される送信時間タイミングデータと一意に対応付けられた受信時間タイミングデータとの組合せを有することを特徴とする。
【００１７】
請求項７に係る発明は、請求項５記載のエンジン始動制御システムにおいて、第一の制御部の第二の記憶手段に記憶される車両ＩＤが、任意桁数の数字列よりなる認証番号と、この認証番号の各桁の数字を送信してからその一つ下位の桁の数字を送信するまでの送信時間としてランダムに設定された送信時間タイミングデータとの組合せを有し、第二の制御部の第三の記憶手段に記憶される車両ＩＤが、第一の制御部の第二の記憶手段に記憶される車両ＩＤの認証番号と一意に対応付けられた同桁数の数字列を含む認証番号と、第一の制御部の第二の記憶手段に記憶される送信時間タイミングデータと一意に対応付けられた受信時間タイミングデータとの組合せを有することを特徴とする。
【００１８】
請求項８に係る発明は、車両に設置され、一定の条件が満たされたときに稼動許可信号を送出する第一の制御部と、車両のエンジンを始動させるためのスタータモータのマグネットスイッチに内蔵され、スタータモータを始動するための電流を通電又は遮断するモータ制御スイッチと、第一の制御部から稼動許可信号を受信したときにモータ制御スイッチをオンにしてスタータモータの始動を許容する始動制御手段とを備える第二の制御部と、を有してなることを特徴とするエンジン始動制御システムである。
【００１９】
請求項９に係る発明は、請求項８記載のエンジン始動制御システムにおいて、第一の制御部の送信手段から第二の制御部の受信手段に送信される稼動許可信号の送信媒体として車両の車体が利用されることを特徴とする。
【００２０】
請求項１０に係る発明は、請求項８又は９記載のエンジン始動制御システムにおいて、第一の制御部は、車両を特定する車両ＩＤを記憶する第一の記憶手段を備えるとともに、第二の制御部は、第一の記憶手段に記憶された車両ＩＤと一意に対応付けられた車両ＩＤを記憶する第二の記憶手段と、第一の記憶手段に記憶された車両ＩＤと第二の記憶手段に記憶された車両ＩＤとを照合して受信した稼動許可信号が当該車両の第一の制御部から発信されたものであるか否かを判定する車両判定手段とを備え、始動制御手段は、受信した稼動許可信号が当該車両からのものであることが車両判定手段によって判定されたことを条件としてモータ制御スイッチをオンにすることを特徴とする。
【００２１】
請求項１１に係る発明は、第一の制御部の第一の記憶手段に記憶される車両ＩＤが、任意桁数の数字列よりなる認証番号と、この認証番号の各桁の数字を送信してからその一つ下位の桁の数字を送信するまでの送信時間としてランダムに設定された送信時間タイミングデータとの組合せを有し、第二の制御部の第二の記憶手段に記憶される車両ＩＤが、第一の制御部の第一の記憶手段に記憶される車両ＩＤの認証番号と一意に対応付けられた同桁数の数字列を含む認証番号と、第一の制御部の第一の記憶手段に記憶される送信時間タイミングデータと一意に対応付けられた受信時間タイミングデータとの組合せを有することを特徴とする請求項１０記載のエンジン始動制御システム。
【発明の効果】
【００２２】
請求項１に係る発明によれば、車両を運転するオペレータが所持する鍵手段に記憶される認証データと一意に対応付けられた認証データが車両に設置される第一の制御部に記憶されており、これらの認証データを照合して鍵手段が正規なものであるか否かを認証手段で判定し、正規のものであると判定したときに第二の制御部に稼動許可信号を与え、この稼動許可信号を第二の制御部が受信しない限りモータ制御スイッチがオンにならず、スタータモータの始動が許容されない構成となっているため、従来から車両盗難の手口となっているバッテリ直結によっても、エンジンが始動されてしまうことがない。また、第二の制御部は、短時間内に破壊することがきわめて困難であるスタータモータのマグネチックスイッチに内蔵されている。したがって、バッテリ直結によるエンジンの不正始動及びそれによる車両盗難に対する有効な防止策となる。
【００２３】
請求項２に係る発明によれば、上記効果に加えて、車体を信号伝達手段として用いることから制御用の回路配線や端子を設ける必要が無く、隠匿性の高いシステム構成となり、車両盗難のリスクをさらに減少させることができる。
【００２４】
請求項３に係る発明によれば、上記効果に加えて、第一の制御部が記憶する認証データを外部管理サーバからの変更指令によって変更することができるので、正規の鍵手段を所持する者による盗難や不正使用が発覚したときに第一の制御部が記憶する認証データを変更することによって鍵手段が記憶する認証データとの対応性を解除し、第二の制御部に対して稼動許可信号を与えないようにすることができる。
【００２５】
請求項４に係る発明によれば、上記効果に加えて、エンジンのガバナに第三の制御部を設けて、第一の制御部から稼動許可信号を受信しなくなったときにエンジンへの燃料供給を停止させることとしているので、正規の鍵手段を所持する者による盗難や不正使用が発覚した場合に第一の制御部に記憶される認証データが鍵手段に記憶される認証データと対応しなくなったときに、直ちにエンジンを強制停止させることができる。
【００２６】
請求項５に係る発明によれば、上記効果に加えて、車両を特定する車両ＩＤが第一の制御部に記憶されるとともに、これと一意に対応付けられた車両ＩＤが第二の制御部に記憶され、それらを照合することによって稼動を許可すべき車両が特定されるので、このシステムによって管理される車両が複数台近接した場所に位置している場合であっても、ある車両からの稼動許可信号によって他の車両に稼動許可が与えられることが無く、適切な車両管理が可能となる。
【００２７】
請求項６に係る発明によれば、上記効果に加えて、鍵手段及び第一の制御部に一意に対応付けて記憶される認証データが、任意桁数の数字列よりなる任意の認証番号と、この認証番号の送受信時間としてランダムに設定された送受信タイミングデータとの組み合わせとして構成されるので、短時間で解析することが不可能であり、盗難防止効果をより高めることができる。
【００２８】
請求項７に係る発明によれば、上記効果に加えて、第一の制御部及び第二の制御部に一意に対応付けて記憶される車両ＩＤが、任意桁数の数字列よりなる任意の認証番号と、この認証番号の送受信時間としてランダムに設定された送受信タイミングデータとの組み合わせとして構成されるので、短時間で解析することが不可能であり、盗難防止効果をより高めることができる。
【００２９】
請求項８に係る発明によれば、第二の制御部が稼動許可信号を受信しない限りモータ制御スイッチがオンにならず、スタータモータの始動が許容されない構成となっているため、従来から車両盗難の手口となっているバッテリ直結によっても、エンジンが始動されてしまうことがない。また、第二の制御部は、短時間内に破壊することがきわめて困難であるスタータモータのマグネチックスイッチに内蔵されている。したがって、バッテリ直結によるエンジンの不正始動及びそれによる車両盗難に対する有効な防止策となる。
【００３０】
請求項９に係る発明によれば、上記効果に加えて、車体を信号伝達手段として用いることから制御用の回路配線や端子を設ける必要が無く、隠匿性の高いシステム構成となり、車両盗難のリスクをさらに減少させることができる。
【００３１】
請求項１０に係る発明によれば、上記効果に加えて、車両を特定する車両ＩＤが第一の制御部に記憶されるとともに、これと一意に対応付けられた車両ＩＤが第二の制御部に記憶され、それらを照合することによって稼動を許可すべき車両が特定されるので、このシステムによって管理される車両が複数台近接した場所に位置している場合であっても、ある車両からの稼動許可信号によって他の車両に稼動許可が与えられることが無く、適切な車両管理が可能となる。
【００３２】
請求項１１に係る発明によれば、上記効果に加えて、第一の制御部及び第二の制御部に一意に対応付けて記憶される車両ＩＤが、任意桁数の数字列よりなる任意の認証番号と、この認証番号の送受信時間としてランダムに設定された送受信タイミングデータとの組み合わせとして構成されるので、短時間で解析することが不可能であり、盗難防止効果をより高めることができる。
【発明を実施するための最良の形態】
【００３３】
本発明の好適な一実施形態としての建機管理システムの概略イメージである図１と、該システムの概略構成図である図２と、該システムの各手段又は処理で扱うデータを表にした図３とを参照して、以下詳述する。
【００３４】
（システム構成の概要）
本システムは、大別して概略説明すると、
建機操縦席に設置され、オペレータが持つ後記の稼動許可認証キー２０を使って正しい稼動許可番号か否かを判別する稼動許可認証手段を持ち、正しい稼動許可番号と判定した場合は後記のロック制御手段３０に対して建機のロック解除指示（稼動許可信号）を発信する制御ＰＣ１０と、
オペレータが制御ＰＣ１０に挿入することで、制御ＰＣ１０の稼動許可認証手段に対して稼動許可番号送信を行う稼動許可認証キー２０（以後、メモリキーと呼ぶ）と、
建機１３０のスタータモータ４００に付設されるマグネチックスイッチ３００内に設置され、制御ＰＣ１０から正当なロック解除指示を受信した場合は建機のロック解除を行うロック制御手段３０（以後、ＳＳＳＲと呼ぶ）と、
建機管理会社（または建機所有会社）に設置され、建機の制御ＰＣ１０とのデータ通信によって、建機の位置・高度や稼動状況データ等を取得して管理し、制御ＰＣ１０の稼動許可認証手段の認証用データ（錠側）の更新指示、あるいは制御ＰＣ１０に建機の強制停止指示を発信することができる管理ＰＣ１１０と、
建機貸出先などの建機現場事務所に設置され、貸し出された建機の制御ＰＣ１０の稼動許可認証手段の認証用データ（鍵側）をメモリキー２０に書き込むクライアントＰＣ１２０と、
制御ＰＣ１０、メモリキー２０、ＳＳＳＲ３０が保持する認証用データをすべて一括管理し、その認証用データを管理ＰＣ１１０とクライアントＰＣ１２０にインターネット等の通信ネットワークを経由して配布する管理センター１００と、
から構成される。
【００３５】
なお、稼動許可認証キー２０としてＵＳＢ等の標準規格のポートに接続して使用する持ち歩き可能なメモリを使用するので、本システムではメモリキーと呼ぶ（ただし、メモリだけでなく制御・演算手段も含む）。また、ロック制御手段３０には既知のソリッドステートリレー（Solid State Relay＝ＳＳＲ）を盗難防止用に新規に改良したものを使用しており、本システムではＳｅｃｕｒｅ  ＳＳＲと呼んでいる。ＳＳＳＲとはその略称である。
【００３６】
本システムにおいては、建機の管理を行う上で、不正キーによる建機の稼働を防止するための稼動許可認証と、建機のロック解除指示の正当性を判定するためのロック解除指示認証とを行う。
【００３７】
（稼動許可認証）
以下稼動許可認証について詳述する。
【００３８】
まず、稼動許可認証で扱うデータについて述べる。制御ＰＣ１０は稼動許可認証のための稼動許可番号・稼動許可番号受信プログラムのセット（認証データ）をメモリ１２に保持している。これと対になるセット（同一の稼動許可番号と稼動許可番号送信プログラムのセット）がメモリキー２０のメモリ２２に保持されている。制御ＰＣ１０は、そのメモリ１２に保持しているセットと対になるセットをメモリ２２に保持しているメモリキー２０でのみ動作可能になる。メモリキー２０は、後述のように、制御ＰＣ１０のＵＳＢ等の標準規格のポートに差し込むことによって制御ＰＣ１０から駆動電源を得て動作するものであり、市販のＵＳＢメモリースティックとポートコネクタのみ同様の形状であって良いが、稼動許可番号及び稼動許可送信プログラムを格納する、本システムに独自の構成を有している。なお、制御ＰＣ１０のメモリ１２及びメモリキー２０のメモリ２２に保持されたデータは、容易にコピー及びリバースエンジニアリングされないように防止機能が付けられている。
【００３９】
稼動許可認証の方式としては既知のものから任意に選択して使用することができ、特に暗証番号（稼働許可番号、数字列が一般であるが文字列であっても良い）を用いた方式を採用することができるが、本システムでは、新たに考案した認証方式として、暗証番号送信／受信プログラムが、暗証番号（稼動許可番号）だけではなく暗証番号を順に送信／受信する際のタイミングの取り方も認証の対象にしている認証方式を採用している。そのタイミングの取り方については、暗証番号の数字を一つ送信／受信した後に任意の時間間隔をおいて次の一つを送信／受信するようにしている。たとえば、送信時間間隔は、１つ目の数字を送信した後には０．５秒、２つ目の数字の後には０．３秒、３つ目の数字の後には１．０秒、．．．というようにランダムに設定され、受信時間間隔もこれと同様にする。この時間間隔は暗証番号送信／受信プログラム内に埋め込んでいる。また、１つ目の数字が送信されると同時に受信も開始し始めることで、送信と受信の開始のタイミングをとる。送信と受信のタイミングが一致し、且つ暗証番号も一致した場合のみ、認証の結果が正当なものと判定される方式であり、これを暗証番号送受信同期認証方式と呼ぶ。
【００４０】
この暗証番号送受信同期認証方式が採用された建機１３０を盗難するためには、特定の暗証番号とランダムに設定された時間間隔データの両方を取得しなければならない。仮にメモリキー２０を不正取得した第三者にそのメモリ２２に内蔵される暗証番号を知られたとしても、ランダムに設定された送信時間タイミングを解析するには長時間を要する。逆に、悪意ある者が送信時間タイミングを一致させることに成功したとしても、暗証番号を網羅して開錠を確認するためには多大な時間を要する。一例として、６桁の暗証番号（１００万通りの組合せがある）において送信時間間隔を３秒程度としてすべての送受信タイミングを一致させることができたとしても、暗証番号全てを試すためには概ね一ヶ月を要することになる。すなわち、なるべく短時間内に盗難を完了させようとする盗難者側の心理を考えると、この暗証番号送受信同期認証方式は、きわめて有効な盗難防止策となる。
【００４１】
次に、稼動許可認証の手順について述べる。オペレータがメモリキー２０を制御ＰＣ１０のＵＳＢ等の標準規格のポートに差し込むと、制御ＰＣ１０からの電源供給を受けたメモリキー２０の制御・演算手段２１が起動してメモリ２２内の稼動許可番号送信プログラムによって制御ＰＣ１０に稼動許可番号を送信し始める。同時に、制御ＰＣ１０の制御・演算手段１１は、メモリ１２内の稼動許可番号受信プログラムによって稼動許可認証を開始し、同プログラム内で定められた受信時間間隔で受信した番号をメモリ１２内の稼動許可番号と比較してすべて一致した場合に（既述の暗証番号送受信同期認証方式のとおり）、正しい稼動許可番号と判定する。
【００４２】
ここで、稼動許可認証データの管理について述べる。稼動許可認証データである制御ＰＣ１０の稼動許可番号・稼動許可番号受信プログラムとメモリキー２０の稼動許可番号・稼動許可番号送信プログラムとのセットは、セット毎に一意なものでなければならない。つまり、稼動許可認証データは、建機１３０の操縦席等に設置される制御ＰＣ１０毎に一意なものが割り振られ、同一の建機管理会社（建機所有会社）が管理（所有）する複数の建機１３０に設置されるその制御ＰＣ１０には、すべて異なる稼働許可認証用データが組み込まれている。この一意性を保持するため、管理センター１００がすべてのセットを一括管理する。
【００４３】
本システム運用時に建機貸出先の変更等があれば、その際に稼動許可認証データを書き換える。この書き換え処理について、制御ＰＣ１０側の書き換えとメモリキー２０側の書き換えを順に説明する。
【００４４】
制御ＰＣ１０側（錠側）の書き換えについて述べる。建機管理会社の管理ＰＣ１１０は、管理センター１００に、制御ＰＣ用の新たな稼動許可認証データ（稼動許可番号か稼動許可受信プログラムかどちらか一方、又はその両方のセット）の発行を依頼して、発行された認証用データへの書き換え指示とその認証用データを建機の制御ＰＣ１０に発信する。制御ＰＣ１０は管理ＰＣ１１０からデータ通信手段１４（たとえばデータ送受信可能な携帯電話機）を介して認証用データの書き換え指示とその認証用データを受信し、メモリ１２の認証用データを書き換える。
【００４５】
メモリキー２０側（鍵側）の書き換えについて述べる。建機貸出先のクライアントＰＣ１２０は、管理センター１００に接続して、前記の新たな稼動許可認証データである稼動許可番号・稼動許可番号送信プログラムをダウンロードして、そのクライアントＰＣ１２０に挿入されたメモリキー２０に書き込む（管理センター１００から提供されるメモリキー２０への書き込み用専用プログラムを使って書き込む）。
【００４６】
なお、以上述べたように管理ＰＣ１１０により建機の制御ＰＣ１０の稼動許可認証データを遠隔地から書き換えることができることを利用して、（後述の建機稼動状況管理手段等により）オペレータが建機を不正使用していることが判明した場合には、そのオペレータが持つメモリキー２０の稼動許可認証データでは正しい稼動許可番号と判定できないように制御ＰＣ１０の稼動許可認証データを書き換えることにより、不正使用を阻止することが可能になる。また、稼動許可認証データのメモリキー２０への書き込みを建機貸出先のクライアントＰＣ１２０で行う構成により、たとえば建機管理会社は日本にあり、建機貸出先は海外である場合にも容易に管理可能である。
【００４７】
（ロック解除指示認証）
以下ロック解除指示認証について詳述する。
【００４８】
まず、ロック解除指示認証で扱うデータ（ロック解除指示認証データ）について述べる。ＳＳＳＲ３０はロック解除指示認証のための認証データとなる車両ＩＤ・車両ＩＤ受信プログラムのセットをメモリ３２に保持している。これと同一のロック解除指示認証データである車両ＩＤ・車両ＩＤ受信プログラムのセットが制御ＰＣ１０のメモリ１２に保持されている。ＳＳＳＲ３０は、そのメモリ３２に保持しているセットと対になる（同一の）セットをメモリ１２に保持している制御ＰＣ１０でのみ制御可能になる。制御ＰＣ１０とＳＳＳＲ３０はセットで建機に設置されるので、出荷前にメモリ１２／メモリ３２に車両ＩＤ・車両ＩＤ送信／受信プログラムを設定しておき、通常はこのままで固定され、後に変更されることはない。
【００４９】
ロック解除指示認証方式は任意であるが、本システムでは、稼働許可認証方式として採用したと略同様の暗証番号送受信同期認証方式を採用している。しかし、稼動許可認証における暗証番号である稼動許可番号はＰＣの標準ポート経由で送信しているのに対して、ロック解除指示認証における暗証番号である車両ＩＤの送信にはＰＬＣ（Power Line Communication）を採用しており、その伝送媒体として電源のマイナスラインである車体４０を使用している。ＰＬＣとは一般的には電力線を使用して行われるデータ通信のことである。本システムでは、このＰＬＣ技術をリレーの制御に利用して、国内法で許容される規定のキャリア信号（このキャリア信号のみでＳＳＳＲ３０のＰＬＣ信号受信手段３３に対してオン信号を送信したことになる）に車両ＩＤの信号をミックス（畳重）して、ＳＳＳＲ３０へ車両ＩＤの送信を行う。
【００５０】
また、ＰＬＣにおいて伝送媒体として車体４０を利用しているため、ＳＳＳＲ３０の制御用配線の隠匿を可能にし、配線の短絡（バッテリ直結）等、一般的な手口となっている制御用配線を操作して不正動作させることによる盗難の防止に大きく貢献している（Ｓｅｃｕｒｅ  ＳＳＲという名称を採用したのはこの所以である）。
【００５１】
この盗難防止効果をもたらすＳＳＳＲ３０の制御用配線の隠匿性について補足説明する。図４（Ａ）に示すように通常のリレーでは制御端子部分（制御入力端子、制御出力端子）がその外観上はっきりした形でリレ−外部に出ているため、その制御端子部分を操作して回路製作者（装置製作者）が意図する動作と異なる不正動作させることが容易に可能である。この問題を解決するため、本発明ではＰＬＣ技術をリレーの制御に応用し、且つ、稼動許可信号の伝送媒体としてマイナスラインである車体４０及びＳＳＳＲ３０の金属製のケースを利用して、この金属ケースを介して入力した稼動許可信号をＰＬＣ信号受信手段で受信するようにしている（図４（Ｂ））、図４（Ｃ））。これにより、外観上制御端子は存在しない構成になっており、結果としてリレーの制御用配線の隠匿を可能にしているため、悪意をもって制御用回路を不正動作させることは困難である。加えて、プラスラインのノイズを避けることができるという利点も有している。図４（Ｃ）は本システムのＳＳＳＲ３０に対応しており、ＰＬＣ信号受信手段３３からキャリア信号に加えて車両ＩＤの信号も受信し、メモリ３２内の車両ＩＤ・車両ＩＤ受信プログラム制御のデータを利用して制御・演算手段３１でロック解除指示認証とモータ制御スイッチ３４の制御を行う構成になっている。この構成では稼動許可信号としてキャリア信号に車両ＩＤを畳重したＰＬＣ信号を用いており、後述するように、ある建機に設置した本システムの制御ＰＣ１０から発信されたキャリア信号が他の建機に伝播して該他の建機をロック解除してしまうといった事態を防止することができるので好ましい実施形態であるが、図４（Ｂ）のようにＳＳＳＲ３０’を構成することも本発明の範囲内である。このＳＳＳＲ３０’では、ＰＬＣ信号受信手段３３が稼動許可信号（キャリア信号のみ）を受信したときに制御手段３１’（本システムのＳＳＳＲ３０における制御・演算手段３１に相当し、同様の制御を行うもの）がロック解除指示認証を与える構成であり、車両ＩＤによる制御対象建機の特定を行わないことを除いて、本システムのＳＳＳＲ３０と同様の構成を有し同様に動作する。
【００５２】
ＳＳＳＲ３０は、制御用配線の隠匿性によって上記の利点を発揮することに加えて、マグネチックスイッチ３００の内部に設置されるため、その存在を外部から確認することができず、ＳＳＳＲ３０そのものの隠匿性もきわめて高い。しかも、マグネチックスイッチ３００内部を確認するためには、旋盤等の大掛かりな装置を用いてマグネチックスイッチ３００を破壊しなければならず、少なくとも数時間を要する。このことは、犯罪者心理を考慮すれば、悪意を持った者によってＳＳＳＲ３０の制御端子部分が不正動作されるリスクを実質的に回避できることを意味している。
【００５３】
さらに、ロック解除指示認証の手順について述べる。既述した稼動許可認証で正しい稼動許可番号と判定した後に、このロック解除指示認証に移行する。制御ＰＣ１０の制御・演算手段１１は、メモリ１２内の車両ＩＤ送信プログラムによって車両ＩＤをＰＬＣ信号送信手段１３から送信し始める。同時に、ＰＬＣ信号受信手段３３を経由して信号を受けたＳＳＳＲ３０の制御・演算手段３１は、メモリ３２内の車両ＩＤ受信プログラムによってロック解除指示認証を開始し、同プログラム内で定められた受信時間間隔でＰＬＣ信号受信手段３３から受信した番号をメモリ３２内の車両ＩＤと比較してすべて一致した場合に（既述の暗証番号送受信同期認証方式のとおり）正しい車両ＩＤと判定し、モータ制御スイッチ３４に指示を出し、建機のロック解除を行う。
【００５４】
なお、稼動許可信号として車両ＩＤを使わずにオン信号（キャリア信号）のみを送信するシステム構成も可能である（図４（Ｂ））が、複数の建機を同じ作業現場で稼動させる場合、本システムでは車体４０がアンテナの役割を果たして他の建機にまで稼動許可信号が伝搬する可能性があり、結果として意図せずに他の建機にもロック解除指示を送信してしまう事態が考えられる。この事態を避けるため、つまりセットとなった制御ＰＣ１０とＳＳＳＲ３０との間でのみロック解除を成立させるため、ロック解除指示の発信元を識別する車両ＩＤを使うことが望ましい。
【００５５】
（建機状況の取得）
本システムは、さらに建機状況を取得するための手段として、日付・時刻取得手段１、位置・高度取得手段２、傾斜センサ３及びエンジン稼動情報取得手段４を備えている。日付・時刻取得手段１としては電波時計やＧＰＳ（Global Positioning System）を利用することができる。位置・高度取得手段２としてはＧＰＳその他の位置情報取得手段を利用することができる。傾斜センサ３は各建機１３０に設置され、水平に対する建機の傾斜角度を取得する。エンジン稼動情報手段４は建機１３０のエンジンが運転中であるか否かを判定するための情報として水温・油温等を取得する。これらの手段で取得したデータは定期的に、又は制御ＰＣ１０からの指示に応じて制御ＰＣ１０に送信され、受信した制御ＰＣ１０においてメモリ１２に保持される。
【００５６】
（建機稼動条件の設定）
建機管理会社が管理する建機１３０を建機貸出先に対して建機稼動を許可する際には、通常、許可する稼動期間と稼動範囲を設定する。これら稼動期間及び稼動範囲等の建機稼動条件は、管理ＰＣ１１０によりデータ通信手段１４を介して制御ＰＣ１０に送信され、メモリ１２に保持される。
【００５７】
（建機稼動の許可・不許可）
制御ＰＣ１０の制御・演算手段１１は、前記建機状況取得手段、特に日付・時刻取得手段１及び位置・高度取得手段２から送信されたデータを、メモリ１２に保持された上記建機稼動条件（稼動期間、稼動範囲等）と比較して稼動許可判定を行う。稼動条件内であると判定した場合には建機稼動を許可し（他の処理手段に影響を与えない）、稼動条件外であると判定した場合には建機稼動を許可しない。制御ＰＣの動作中はこの一連の処理手順（稼動許可判定→判定に従った処理）を定期的に繰り返す。
【００５８】
建機がまだ稼動していない状態で建機稼動を不許可とする判定がなされたときは、メモリキー２０から暗証番号及び時間間隔のデータが送信されてきても既述の稼動許可認証処理に移行しないことで建機稼動を許可しないようにする。
【００５９】
建機が稼動中に建機稼動を不許可とする判定がなされたとき、すなわち稼動を即時中止させるべき場合の処理について以下詳述する。
【００６０】
まず、建機の動作の仕組みを述べる。建機のエンジンは油圧を作り出すための装置であり、その油圧を利用して、キャタピラ等で建機を走行（油圧→羽車を回転→キャタピラ回転）させたり、各種アタッチメントの動作（バケット操作等）をさせたりしている。建機は、自動車のようにエンジンからギヤ等で動力を直接稼動部分に伝導する仕組みではない。建機のエンジン回転を油圧に変換し、油圧を稼動各部に伝導し動作に変換する仕組みである。したがって、建機稼動が外部要因により強制停止しても、それによってエンジンが停止することはない。
【００６１】
建機エンジンの不正動作の阻止は、建機エンジン稼働前であれば、既述のロック制御手段３０によるロック制御指示認証を介して、スタータモータ４００を直接制御することで行うことができる。エンジンが始動しなければ油圧が発生せず、建機の稼動は不可能である。しかし、上記の建機の動作の仕組みにより、建機稼動中、つまりエンジンが一旦始動した後に建機を強制停止させるためにはエンジンを直接停止させる必要がある。
【００６２】
本システムではエンジンを直接停止させる方法として、エンジン燃料供給部のガバナ（エンジンに供給される燃料を開閉する電磁弁）を、前記ＳＳＳＲ３０と同じ構成及び動作原理を持つガバナ用ＳＳＳＲ（図示せず）で電子制御する方法を採用している。ガバナ用ＳＳＳＲは、ＳＳＳＲ３０のロック解除指示認証と同様のエンジン稼動許可認証を行い、そのための認証データもＳＳＳＲ３０のロック解除指示認証データと同じものでよい。つまり、制御ＰＣ１０の制御・演算手段１１で稼動認証許可を判定したときに、キャリア信号が制御ＰＣ１０のＰＬＣ信号送信手段１３からマグネットスイッチ３００のＳＳＳＲ３０とガバナ用ＳＳＳＲの両方に送信され、その後キャリア信号を継続して送信し続けることでエンジンは動作し続ける。
【００６３】
したがって、以上の建機の動作原理とガバナ用ＳＳＳＲの設置により、建機の稼動を中止する方法、つまりエンジンを直接停止させる方法は、制御ＰＣ１０のＰＬＣ信号送信手段１３のガバナ用ＳＳＳＲに対する稼動許可信号送信をストップさせるものである。これによって建機を強制停止させることができる。正規のメモリキ−２０により制御ＰＣ１０を動作させエンジンを始動させた後に不正使用を目的として制御ＰＣ１０を取り外した場合を想定すると、ガバナ用ＳＳＳＲを設置していない場合はエンジンを停止することができないためにそのまま不正使用し続けられるが、ガバナ用ＳＳＳＲを設置している場合は制御ＰＣ１０を取り外したことによりＰＬＣ信号送信手段１３の稼動許可信号送信がストップするので建機を稼動できなくなる。つまり、ガバナ用ＳＳＳＲの設置は、エンジンを一旦始動させた後の制御ＰＣ１０取り外し行為による盗難を阻止できる、という利点がある。
【００６４】
また、正規のメモリキー２０が挿入された場合には稼動許可信号がマグネチックスイッチ３００のＳＳＳＲ３０に送られてスタータモータ４００及びエンジンの始動を許容するが、その後、後述のキャリアカー不正積載のような不正使用が発覚したときにも、上記と同様にして、エンジンを強制停止することができる。すなわち、この場合、管理ＰＣ１１０から携帯電話機等のデータ通信手段１４を介して制御ＰＣ１０に稼動許可認証データ変更指令を送ることにより、メモリ１２内に記憶されている稼動許可認証データを変更又はクリアすると、制御ＰＣ１０の制御・演算手段１１は稼動許可認証データの不一致により稼動許可を与えないので、ガバナ用ＳＳＳＲに対するキャリア信号がストップし、エンジンを強制停止する。
【００６５】
（建機状況の管理）
制御ＰＣ１０の建機状況取得手段によるデータ等を、携帯電話機等のデータ通信手段１４を介して管理ＰＣ１１０がリアルタイムに取得して管理する。管理ＰＣ１１０は取得した建機状況を建機管理会社の管理者に報知する。管理者は、受領したデータを元に建機稼動状況の把握が可能になり、たとえばエンジンの水温・油温が異常に高い状態が続いた場合には建機貸出先などの現場事務所に注意を促すことが可能になる。
【００６６】
（盗難防止のメカニズム）
建機の盗難には幾つかのパターンが想定されるが、大別すると、正規の稼動許可認証キー（メモリキー２０）を持たない第三者がバッテリ直結等によってエンジンを不正始動させて盗難しようとするいわゆる外部犯行のパターンと、建機管理会社の従業員等の関係者が所有する正規の稼動許可認証キーを用いて関係者自らが、又は関係者から譲り受けた正規の稼動許可認証キーを用いて悪意のある外部の人間が建機を正常な手段で稼動させて盗難しようとするいわゆる内部犯行のパターンがある。
【００６７】
外部犯行の盗難パターンに対しては、既述した稼動許可認証が有効な防止策となる。すなわち、マグネチックスイッチ３００にロック制御手段（ＳＳＳＲ）３０が内蔵されている本システム（図５参照）によれば、万一バッテリ直結によりマグネチックスイッチ３００のＳ端子にバッテリからの電流が流れたとしても、稼動許可認証が成立した場合にのみ制御ＰＣ１０から送られる稼動許可信号を受信しない限りモータ制御スイッチ３４がオンになることがなく、マグネチックスイッチ３００のシリースコイル３０３及びシャントコイル３０４には電流が流れないのでプランジャ３０５を吸引するための電磁力が発生せず、したがってピニオンギヤ４０４が回転しないのでエンジンを始動させることはない。
【００６８】
しかしながら、この稼動許可認証による盗難防止策は、正規のキーを使用する内部犯行の盗難パターンに対しては有効ではない。本システムは、内部犯行の盗難パターンに対する対応策も備えている。この防止策は、外部犯行の盗難パターンに対しても二次的又は補完的な対応策として機能する。
【００６９】
この対応策は、建機がキャリアカーに不正積載されたことを検知した場合や建機稼動条件（稼動期間、稼動地域等）を満たさない不正使用を検知した場合等、盗難又は不正使用の可能性ありと判定したときに、メモリ１２に記憶されている建機特定のためのデータ（稼動許可番号や車両ＩＤ等）と位置データをデータ通信手段１４を介して管理ＰＣ１１０に送信する。通報を受けた建機管理会社は、位置データに基づいて把握した建機の現在位置に急行して盗難を未然に防止し、又は不正使用を停止させることができる。また、盗難や不正使用の可能性を判定したとき、制御・演算手段１１はメモリ１２内の稼動許可認証データ（認証番号、受信時間間隔、受信プログラムの少なくともいずれか一つ）を変更又はクリアする。あるいは、不正積載の通報を受けた管理ＰＣ１１０からの指令を受けてメモリ１２内の稼動許可認証データを変更又はクリアするようにしてもよい。これにより、オペレータがメモリキー２０を制御ＰＣ１０に挿入しても、既述した稼動許可認証処理において建機の稼動が許可されないので、建機の再始動はできなくなり、建機の不正使用を阻止することができる。また、不正積載された建機をキャリアカーから降ろすためにスタータモータ４００を始動させることもできなくなるので、盗難防止にも有効である。
【図面の簡単な説明】
【００７０】
【図１】本発明の好適な一実施形態としての建機管理システムの概略ブロック図である。
【図２】このシステムの概略構成図である。
【図３】このシステムの各手段又は処理で扱うデータを表にしたものである。
【図４】このシステムにおける制御用配線の隠匿性（Ｃ）を通常のリレー（Ａ）及びＰＬＣ原理を単純に応用したもの（Ｂ）と対比して示す説明図である。
【図５】このシステムによるスタータモータの作動原理を説明する図である。
【図６】従来技術によるスタータモータの作動原理を説明する図である。
【符号の説明】
【００７１】
１  日付・時刻取得手段
２  位置・高度取得手段
３  傾斜センサ
４  エンジン稼動情報取得手段
１０  制御ＰＣ
１１  制御・演算手段
１２  メモリ
１３  ＰＬＣ信号送信手段
１４  データ通信手段
２０  稼動許可認証キー（メモリキー）
２１  制御・演算手段
２２  メモリ
３０  ロック制御手段（ＳＳＳＲ）
３１  制御・演算手段
３２  メモリ
３３  ＰＬＣ信号受信手段
３４  モータ制御スイッチ
４０  車体
１００  管理センター
１１０  管理ＰＣ
１２０  クライアントＰＣ
１３０  建機
２００  スタータスイッチ
３００  マグネチックスイッチ
４００  スタータモータ
【図１】
2006213256.tif 000003
【図２】
2006213256.tif 000004
【図３】
2006213256.tif 000005
【図４】
2006213256.tif 000006
【図５】
2006213256.tif 000007
【図６】
2006213256.tif 000008